(57)【要約】【課題】キャリアアグリゲーション（ＣＡ）の実施において、各副セルについてのチャネル状態情報（ＣＳＩ）の報告周期が長くても、各副セルについての下りリンク受信品質の変動に対して、迅速に下りリンク通信パラメータを追従する。【解決手段】ＣＡを実施する無線通信システムが、各ユーザ装置（ＵＥ）から主セルおよび副セルについてのＣＳＩの報告を繰り返し受信する。システムは、１つのＵＥから副セルについてのＣＳＩの報告を受信すると、そのＵＥにとっての副セルの品質をＣＳＩに従って更新し、更新された副セルの品質に従って、副セルについての下りリンク通信パラメータを制御する。複数の副セルが互いに関連付けされている。１つのＵＥから第１の副セルについてのＣＳＩの報告を受信すると、システムは、第１の副セルと関連付けされた第２の副セルが起動されていれば、第１の副セルについてのＣＳＩを考慮して、第２の副セルの品質を計算して更新する。【選択図】図５
2016158012.tif 000002
【特許請求の範囲】
【請求項１】
複数のユーザ装置の各々について設定された少なくとも１つの副セルを管理するキャリアアグリゲーション管理部と、
前記ユーザ装置の各々から主セルおよび副セルについてのチャネル状態情報の報告を繰り返し受信するチャネル状態情報受信部と、
前記チャネル状態情報受信部が１つのユーザ装置から前記副セルについてのチャネル状態情報の報告を受信すると、そのユーザ装置にとっての前記副セルの品質を前記チャネル状態情報に従って更新する品質情報管理部と、
前記品質情報管理部によって更新された前記副セルの品質に従って、前記副セルについての下りリンク通信パラメータを制御する下りリンク通信パラメータ制御部
とを備え、
複数の副セルが互いに関連付けされており、
前記チャネル状態情報受信部が１つのユーザ装置から第１の副セルについてのチャネル状態情報の報告を受信すると、前記品質情報管理部は、前記第１の副セルと関連付けされた第２の副セルが起動されていれば、前記第１の副セルについてのチャネル状態情報を考慮して、そのユーザ装置にとっての前記第２の副セルの品質を計算して更新する
ことを特徴とする無線通信システム。
【請求項２】
前記品質情報管理部は、前記第１の副セルについてのチャネル状態情報に示されたＣＱＩ（チャネル品質インジケータ）インデックスに、重み付け係数を与えて、前記第２の副セルの品質を計算し、
前記第１の副セルの下りリンクチャネル状態と前記第２の副セルの下りリンクチャネル状態の類似性が高いほど、前記重み付け係数が大きい
ことを特徴とする請求項１に記載の無線通信システム。
【請求項３】
前記第１の副セルがリセットされた場合には、前記チャネル状態情報受信部が前記第１の副セルについての有効なチャネル状態情報の報告を初めて受信するまでは、前記品質情報管理部は、前記第１の副セルについてのチャネル状態情報を考慮して前記第２の副セルの品質を計算せず、
前記チャネル状態情報受信部が前記第１の副セルについての有効なチャネル状態情報の報告を初めて受信した後に、前記品質情報管理部は、前記第１の副セルの品質を前記第１の副セルについてのチャネル状態情報に従って更新するとともに、前記第１の副セルについての有効なチャネル状態情報を考慮して、そのユーザ装置の前記第２の副セルの品質を計算して更新する
ことを特徴とする請求項１または請求項２に記載の無線通信システム。
【請求項４】
前記第１の副セルがリセットされた場合には、前記第１の副セルの起動に関する一処理段階から所定時間が経過するまでは、前記品質情報管理部は前記第１の副セルについてのチャネル状態情報を考慮して前記第２の副セルの品質を計算せず、
前記所定時間が経過した後に、前記品質情報管理部は、前記第１の副セルの品質を前記第１の副セルについてのチャネル状態情報に従って更新するとともに、前記第１の副セルについての有効なチャネル状態情報を考慮して、そのユーザ装置の前記第２の副セルの品質を計算して更新する
ことを特徴とする請求項１または請求項２に記載の無線通信システム。
【請求項５】
前記第１の副セルについてのチャネル状態情報を考慮して計算された前記第２の副セルの品質が、直前に更新された前記第２の副セルの品質から第１の閾値より離れている場合には、前記品質情報管理部は、前記第２の副セルの品質を更新しない
ことを特徴とする請求項１から請求項４のいずれか１項に記載の無線通信システム。
【請求項６】
前記ユーザ装置から報告されたチャネル状態情報に従って直前に更新された第２の副セルの品質が第２の閾値より低い場合には、前記品質情報管理部は、前記第１の副セルについてのチャネル状態情報を考慮して、前記第２の副セルの品質を計算しない
ことを特徴とする請求項１から請求項５のいずれか１項に記載の無線通信システム。
【発明の詳細な説明】
【技術分野】
【０００１】
本発明は、キャリアアグリゲーションを実施する無線通信システムに関する。
【背景技術】
【０００２】
3GPP (Third-Generation Partnership Project)のLTE (Long Term Evolution) Advancedにおいては、キャリアアグリゲーション（carrier aggregation）と呼ばれる技術が規定されている（非特許文献１、Sec. 5.5およびSec. 7.5参照）。キャリアアグリゲーションは、伝送速度を向上させるために、異なる複数の周波数帯（コンポーネントキャリア）を同時に組み合わせる通信技術である。UE (ユーザ装置、User Equipment、移動局)は、その能力に応じて同時に複数のコンポーネントキャリアを使用して受信することができ、同時に複数のコンポーネントキャリアを使用して送信することができる。
【０００３】
図１はキャリアアグリゲーションの概要を示す概略図である。図１において、UE１はキャリアアグリゲーションに適合して複数の周波数帯を使用することができる。UE２はキャリアアグリゲーションに適合せず１つの周波数帯のみを使用することができる。図において、1.5GHz帯、2GHz帯を示すが、これは例示のためであり、周波数帯は限定されない。UE１は、複数の周波数帯を使用可能であるので、単一の周波数帯のみしか使用できないUE２に比べて、より高速の通信が可能である。
【０００４】
キャリアアグリゲーションの実施のためには、複数の周波数帯を使用できるように無線基地局を準備することが必要である。キャリアアグリゲーションに適合して複数の周波数帯を使用することができるエリアでは、キャリアアグリゲーションに適合するUE１は複数の周波数帯を使用することができる。キャリアアグリゲーションに適合せず単一の周波数帯のみを使用することができるエリアでは、UE１は単一の周波数帯のみを使用することができる。
【０００５】
キャリアアグリゲーションにおいて、コンポーネントキャリアは、１つの主コンポーネントキャリア（PCC）と少なくとも１つの副コンポーネントキャリア（SCC）に分類される。主コンポーネントキャリアは、UEの発信またはハンドオーバでNAS (Non-Access Stratum)モビリティ情報、例えばTracking Area identity (TAI)の提供に使用されたり、セキュリティインプットの提供に使用されたりする。副コンポーネントキャリアは、主コンポーネントキャリアに加えてUEが使用可能なコンポーネントキャリアである。より厳密にいえば、上りリンクの主コンポーネントキャリアと下りリンクの主コンポーネントキャリアがあり、上りリンクの副コンポーネントキャリアと下りリンクの副コンポーネントキャリアがある。
【０００６】
上りリンクと下りリンクの主コンポーネントキャリアを用いてUEが通信するサービングセルを主セル（Primary Cell、PCell）といい、上りリンクと下りリンクの副コンポーネントキャリアを用いてUEが通信するサービングセルを副セル（Secondary Cell、SCell）という。この明細書において、セルとは、電波の届く範囲であるセルエリアではなく、セルエリアに対する無線通信機能を提供する基地局の装置をいう。
【０００７】
主セルはUEと無線通信ネットワークの間の接続性を担保するセルである。主セルは、LTEと同様のセルであり、RLM（radio link monitoring）、SPS（semi-persistent scheduling）、PUCCH（Physical Uplink Control Channel）の受信等をサポートする。UEはまず主セルに接続し、必要に応じて副セルを追加することができる。主セルを用いた通信品質が悪化した場合には、UEは再接続処理を行うか、他の主セルへのハンドオーバ処理を実行する。
【０００８】
副セルを追加すべきか否かは、UEで測定されたコンポーネントキャリアの受信品質の無線基地局への報告（Measurement Report）に基づいて、無線基地局で判断される。副セルを追加すべき場合、無線基地局はRRC Connection ReconfigurationメッセージをUEに送信する。RRC Connection Reconfigurationメッセージを受信したUEは、そのメッセージに指定されたSCellを追加する（非特許文献２、Sec. 5.3.10.3bなど参照）。移動に伴い、UEが副セルのセルエリアから出て行くとき、副セルの削除が行われる。
【０００９】
副セルをUEが使用するかどうかは、UEの使用状況による。副セルは、UEに追加すなわち設定された直後は、起動されていない（deactivated）状態である。MAC（Medium Access Control）レイヤで起動（activation）することにより、副セルはUEで使用可能になり、無線基地局はその副セルに関するスケジューリングを行うことができるようになる。
【００１０】
LTEシステムにおいては、UEで受信された下りリンクチャネルの状態を示すチャネル状態情報（Channel State Information、CSI）をUEが無線基地局（eNB）にフィードバックする機構が定義されている（非特許文献３）。フィードバックは、周期的、あるいは非周期的に（イベントトリガに応じて）実施される。フィードバックの周期すなわち報告周期が短い程、無線環境の変動への追従性が高い。eNBはUEからフィードバックされる情報に基づいて、スケジューリング（MCS（Modulation and Coding Scheme）の選択を含む）を実行する。具体的に定義されているCSIは以下の３種である。
チャネル品質インジケータ（Channel Quality Indicator、CQI）。
ランクインジケータ（Rank Indicator、RI）。
プリコーディング行列インジケータ（Precoding Matrix Indicator、PMI）。
【００１１】
CQIは、UEでの下りリンクの受信品質に対応する。受信品質が良好であれば、高速送信に帰結するMCSを無線基地局は選択することができる。RIは、MIMOを使用してUEへの送信に使用されるべき空間多重数(ランク（送信ストリーム）の数) を示す。PMIは、UEへの送信に使用されるべき下りリンクのプリコーディング行列のコードブックのインデックスを示す。
【００１２】
キャリアアグリゲーションを実施する場合には、単一のUEに対して複数のコンポーネントキャリアが設定され、同時に通信が行われるため、UEは、起動されたそれぞれのコンポーネントキャリアすなわちセルについてのCSI報告を行う必要がある。各セルについてのCSI報告に基づいて、無線基地局は、そのセルに対応するMCS等の下りリンク通信パラメータを決定することができる。
【００１３】
リリース１２までのLTE Advancedにおいては、UEは最大で５つのコンポーネントキャリアを使用することができる。しかし、リリース１３以降のLTE Advancedにおいては、UEは最大で３２のコンポーネントキャリアを使用できるように機能を拡張することが検討されている（非特許文献４）。
【先行技術文献】
【非特許文献】
【００１４】
【非特許文献１】3GPP TS 36.300 V12.4.0 (2014-12), 3rd Generation Partnership Project; Technical Specification Group Radio Access Network; Evolved Universal Terrestrial Radio Access (E-UTRA) and Evolved Universal Terrestrial Radio Access Network (E-UTRAN); "Overall description"; Stage 2 (Release 12), ２０１４年１２月
【非特許文献２】3GPP TS 36.331 V12.14.1 (2014-12), 3rd Generation Partnership Project; Technical Specification Group Radio Access Network; Evolved Universal Terrestrial Radio Access (E-UTRA); Radio Resource Control (RRC); "Protocol specification" (Release 12), ２０１４年１２月
【非特許文献３】3GPP TS 36.213 V12.4.0 (2014-12), 3rd Generation Partnership Project; Technical Specification Group Radio Access Network; Evolved Universal Terrestrial Radio Access (E-UTRA); "Physical layer procedures" (Release 12), ２０１４年１２月
【非特許文献４】3GPP TSG RAN Meeting #66  RP-142286, Nokia Corporation, NTT DoCoMo Inc., Nokia Networks, "New WI proposal: LTE Carrier Aggregation Enhancement Beyond 5 Carriers", ２０１４年８月
【発明の概要】
【発明が解決しようとする課題】
【００１５】
上記の通り、キャリアアグリゲーションを実施する場合には、UEは、起動されたそれぞれのコンポーネントキャリアすなわちセルについてのCSI報告を行う必要がある。起動されたコンポーネントキャリアが増えるにつれて、CSI報告の数が増大する。定期的なCSI報告は、PUCCHを介して送信される（非特許文献３）。PUCCHは上りリンクの主コンポーネントキャリアのみで送信されるので、CSI報告の数が増大すると、主セルでの上りリンクのリソースの使用量が増大し、上りリンクスループットの低下を招く。特に、非特許文献４で検討されている通り、各UEで使用可能なコンポーネントキャリアの数が増加すると、この問題が顕著になると予想される。
【００１６】
上りリンクのリソースの使用量を抑制するために、CSIの報告周期をより長くすることが考えられる。しかし、この場合には、各副セルについての下りリンク受信品質の変動に対して、迅速に下りリンク通信パラメータを追従することができない懸念がある。
【００１７】
そこで、本発明は、キャリアアグリゲーションの実施において、各副セルについてのチャネル状態情報の報告周期が長くても、各副セルについての下りリンク受信品質の変動に対して、迅速に下りリンク通信パラメータを追従することができる無線通信システムを提供する。
【課題を解決するための手段】
【００１８】
本発明に係る無線通信システムは、複数のユーザ装置の各々について設定された少なくとも１つの副セルを管理するキャリアアグリゲーション管理部と、前記ユーザ装置の各々から主セルおよび副セルについてのチャネル状態情報の報告を繰り返し受信するチャネル状態情報受信部と、前記チャネル状態情報受信部が１つのユーザ装置から前記副セルについてのチャネル状態情報の報告を受信すると、そのユーザ装置にとっての前記副セルの品質を前記チャネル状態情報に従って更新する品質情報管理部と、前記品質情報管理部によって更新された前記副セルの品質に従って、前記副セルについての下りリンク通信パラメータを制御する下りリンク通信パラメータ制御部とを備える。複数の副セルが互いに関連付けされており、前記チャネル状態情報受信部が１つのユーザ装置から第１の副セルについてのチャネル状態情報の報告を受信すると、前記品質情報管理部は、前記第１の副セルと関連付けされた第２の副セルが起動されていれば、前記第１の副セルについてのチャネル状態情報を考慮して、そのユーザ装置にとっての前記第２の副セルの品質を計算して更新する。
【発明の効果】
【００１９】
本発明においては、チャネル状態情報受信部が１つのユーザ装置から第１の副セルについてのチャネル状態情報の報告を受信すると、第１の副セルと関連付けされた第２の副セルが起動されていれば、品質情報管理部は、第１の副セルについてのチャネル状態情報を考慮して、そのユーザ装置にとっての第２の副セルの品質を計算して更新する。このように、ある副セルについてのチャネル状態情報を、その副セルに関連づけされた他の副セルの品質の計算に使用することによって、各副セルについてのチャネル状態情報の報告周期が長くても、各副セルについての下りリンク受信品質の変動に対して、迅速に下りリンク通信パラメータを追従することができる。
【図面の簡単な説明】
【００２０】
【図１】キャリアアグリゲーションの概要を示す概略図である。
【図２】本発明の実施の形態に係る無線通信システムを示すブロック図である。
【図３】図２の無線通信システムの各セルで形成されるセルエリアの例を示す概略図である。
【図４】図２の無線通信システムの各セルで使用される下りリンク周波数帯の例を示すチャートである。
【図５】本発明の実施の形態に係る無線通信システムの詳細を示すブロック図である。
【図６】実施の形態に係る無線通信システムで使用される副セル管理テーブルの一例を示す図である。
【図７】ユーザ装置からマクロセルにフィードバックされるCQIが示すインデックスと、インデックスで指定されるMCSの例を示す表である。
【図８】実施の形態に係る無線通信システムにおいて、１つのUEから送信されるCSIの報告と、それらに応じたeNBの動作を示すシーケンスダイアグラムである。
【図９】実施の形態に係る無線通信システムのeNBで実行される動作を示すフローチャートである。
【図１０】比較例の無線通信システムにおいて、１つのUEから送信されるCSIの報告と、それらに応じたeNBの動作を示すシーケンスダイアグラムである。
【図１１】代替的な実施の形態に係る無線通信システムのセルエリアの例を示す概略図である。
【図１２】図１２のシステムでの重み付け係数の設定の例を示す表である。
【図１３】図１２のシステムでの重み付け係数の設定の他の例を示す表である。
【図１４】ある副セルがリセットされた場合のその副セルに関するUEとeNBの間の情報交換を示すシーケンスダイアグラムである。
【発明を実施するための形態】
【００２１】
以下、添付の図面を参照しながら本発明に係る実施の形態を説明する。
図２は本発明の実施の形態に係る無線通信システムを示す。この無線通信システムは、複数のマクロセル（マクロセル基地局）１０を有する。各マクロセル１０はeNB（evolved NodeB）を有する。各マクロセル１０は、アンテナユニットを備え、それ自体がUE１と通信する機能を有する。
【００２２】
各マクロセル１０には、アンテナユニットである複数のスモールセル（スモールセル基地局）２１，２２が、例えば光ファイバのような有線伝送路により接続されている。スモールセル２１，２２はマクロセル１０から地理的に離間した位置に配置されている。さらに、各マクロセル１０の設備は、マクロセル１０のeNBのアンテナユニットとは別の複数のスモールセル（スモールセル基地局）２３，２４を有する。したがって、スモールセル２３，２４はマクロセル１０に地理的に一致した位置に配置されている。スモールセル２１〜２４のいずれもがUE１と通信する機能を有する。
【００２３】
図３は、各セルで形成されるセルエリアの例を示す。マクロセル１０は、最も高い送信電力を有し、最も広大なマクロセルエリア１０Ｃを形成する。スモールセル２１，２２は、次に高い送信電力を有し、次に広いスモールセルエリア２１Ｃ，２２Ｃを有する。マクロセル１０の設備内のスモールセル２３，２４（図２参照）は、最も低い送信電力を有し、最も狭いスモールセルエリア２３Ｃ，２４Ｃを有する。スモールセルエリア２３Ｃ，２４Ｃはほぼ完全に重なっている。
【００２４】
図４は、各セルで使用される下りリンク周波数帯の例を示す。図において、周波数帯Ａ，Ｂ，Ｃは互いに離間している。マクロセル１０は最も低いマクロセル周波数帯を使用する。図示の例では、マクロセル周波数帯は周波数帯Ａの全帯域を占める。スモールセル２１，２２，２３，２４は、それぞれスモールセル周波数帯＃１，＃２，＃３，＃４を使用する。スモールセル２１，２２が使用するスモールセル周波数帯＃１，＃２は、１つの周波数帯Ｂ（帯域幅４０ＭＨｚ）に属する連続した周波数帯であり、それぞれ２０ＭＨｚの帯域幅を有する。スモールセル２３，２４が使用するスモールセル周波数帯＃３，＃４は、１つの周波数帯Ｃ（帯域幅４０ＭＨｚ）に属する連続した周波数帯であり、それぞれ２０ＭＨｚの帯域幅を有する。
【００２５】
キャリアアグリゲーションに適合するUE１がマクロセルエリア１０Ｃに入ると、UE１はマクロセル１０にハンドオーバされる。ハンドオーバにより、UE１の主セルはマクロセル１０に設定され、PCCはマクロセル周波数帯に設定される。
【００２６】
UE１がスモールセルエリア２１Ｃに到達すると、SCCの追加すなわち副セルの追加が行われる。スモールセル周波数帯＃１がSCCとしてUE１で使用可能な周波数に追加される（スモールセル２１がUE１の副セルとして追加される）。副セルを追加すべきか否かは、UEで測定されたコンポーネントキャリアの受信品質のマクロセル１０への報告（Measurement Report）に基づいて、マクロセル１０で判断される。副セルを追加すべき場合、マクロセル１０はRRC Connection ReconfigurationメッセージをUEに送信する。RRC Connection Reconfigurationメッセージを受信したUEは、そのメッセージに指定された副セルを追加する。これにより、UE１は、下りリンクに関して、マクロセル周波数帯（PCC）だけでなく、スモールセル周波数帯＃１をSCCとして使用するオプションを得る。
【００２７】
移動に伴い、UE１がスモールセルエリア２１Ｃとスモールセルエリア２２Ｃの重なり部分に入ると、SCCの追加すなわち副セルの追加が行われる。スモールセル周波数帯＃２がSCCとしてUE１で使用可能な周波数に追加される（スモールセル２２がUE１の副セルとして追加される）。これにより、UE１は、さらにスモールセル周波数帯＃２をSCCとして使用するオプションを得る。
【００２８】
移動に伴い、UE１がスモールセルエリア２３Ｃ，２４Ｃに入ると、SCCの追加すなわち副セルの追加が行われる。スモールセル周波数帯＃３，＃４がSCCとしてUE１で使用可能な周波数に追加される（スモールセル２３，２４がUE１の副セルとして追加される）。これにより、UE１は、さらにスモールセル周波数帯＃３，＃４をSCCとして使用するオプションを得る。
【００２９】
移動に伴い、UE１があるスモールセルエリアから出て行くとき、そのスモールセルエリアに対応するSCCの削除すなわち副セルの削除が行われる。移動に伴い、UE１がマクロセルエリア１０Ｃから他のマクロセルエリアに移るとき、ハンドオーバが実行され、主セルが切り替わるとともに、PCCが切り替えられる。
【００３０】
副セルをUEが使用するかどうかは、UEの使用状況による。副セルは、UEに追加すなわち設定された直後は、起動されていない（deactivated）状態である。MAC（Medium Access Control）レイヤで起動（activation）することにより、副セルはUEで実際に使用可能になり、マクロセル１０のeNBはその副セルに関するスケジューリングを行うことができるようになる。
【００３１】
以上の説明の通り、マクロセル１０のeNBがUEの主セルになりうる。各スモールセルはUEの副セルになりうる。
【００３２】
副セルとUE１の接続が伝搬環境の急激な変化で切れた場合でも、主セルすなわちマクロセル１０との接続は維持される。そして、UE１がスモールセルと再接続すべきか否か（副セルを追加すべきか否か）は、UE１で測定されたコンポーネントキャリアの受信品質のマクロセル１０への報告に基づいて、マクロセル１０で判断される。
【００３３】
図５は、本発明の実施の形態に係る無線通信システムの詳細を示す。マクロセル１０は、eNB１１、スモールセル２３，２４を有する。eNB１１は、無線受信部１１４、無線送信部１１５、ＣＡ（キャリアアグリゲーション）管理部１１６、ＣＳＩ（チャネル状態情報）報告処理部１１８、品質情報管理部１２０、スケジューラ１２２、およびメモリ１２４を有する。
【００３４】
無線受信部１１４は、UEから上りリンク無線信号を受信する無線受信回路である。無線受信部１１４は、例えばLTE Advancedに従って送信された上りリンク無線信号を受信する。eNB１１は、スモールセルエリア２１Ｃ，２２Ｃ，２３Ｃ，２４Ｃを除くマクロセルエリア１０Ｃ内にあるUEからの上りリンクデータ信号（PUSCH（Physical Uplink Shared Channel）の信号）を処理するとともに、スモールセルエリア２１Ｃ，２２Ｃ，２３Ｃ，２４Ｃを含むマクロセルエリア１０Ｃ内にあるUEからの上りリンク制御信号（PUCCHの信号）を処理する。定期的なCSI報告は、UEからPUCCHを介して送信される。PUCCHは上りリンクのPCCのみで送信されるので、図示のスモールセル２１，２２，２３，２４はCSI報告に応じた処理を行わない。
【００３５】
無線送信部１１５は、UEへ下りリンク無線信号を送信する無線送信回路である。無線送信部１１５は、例えばLTE Advancedに従って下りリンク無線信号を送信する。eNB１１は、無線送信部１１５を使用して、スモールセルエリア２１Ｃ，２２Ｃ，２３Ｃ，２４Ｃを除くマクロセルエリア１０Ｃ内にあるUE宛ての下りリンクデータ信号（PDSCH（Physical Downlink Shared Channel）の信号）を送信する。eNB１１は、無線送信部１１５を使用して、スモールセルエリア２１Ｃ，２２Ｃ，２３Ｃ，２４Ｃを含むマクロセルエリア１０Ｃ内にあるUE宛の下りリンク制御信号（PDCCHの信号）を送信してもよいし、スモールセルエリア２１Ｃ，２２Ｃ，２３Ｃ，２４Ｃを除くマクロセルエリア１０Ｃ内にあるUE宛ての下りリンク制御信号を送信してもよい。
【００３６】
マクロセル１０に内包されたスモールセル２３は無線受信部２３４および無線送信部２３５を有し、マクロセル１０に内包されたスモールセル２４は無線受信部２４４および無線送信部２４５を有する。マクロセル１０の外部に設けられたスモールセル２１は無線受信部２１４および無線送信部２１５を有し、マクロセル１０の外部に設けられたスモールセル２２は無線受信部２２４および無線送信部２２５を有する。
【００３７】
各スモールセルの無線受信部は、対応するスモールセルエリア内にあるUEから、例えばLTE Advancedに従って送信された上りリンク無線信号を受信する無線受信回路である。各スモールセルは、対応するスモールセルエリア内にあるUEからの上りリンクデータ信号を処理し、UEからのPUCCHの信号を処理しない。
【００３８】
各スモールセルの無線送信部は、対応するスモールセルエリア内にあるUEへ、例えばLTE Advancedに従って下りリンク無線信号を送信する無線送信回路である。各スモールセルは、無線送信部を使用して、対応するスモールセルエリア内にあるUE宛ての下りリンクデータ信号を送信する。各スモールセルは、無線送信部を使用して、対応するスモールセルエリア内にあるUE宛の下りリンク制御信号を送信してもよいが、eNB１１の無線送信部１１５が下りリンク制御信号を送信してもよい。
【００３９】
eNB１１のＣＡ管理部１１６、ＣＳＩ報告処理部１１８、品質情報管理部１２０、およびスケジューラ１２２は、eNBのプロセッサ、例えばＣＰＵ（central processing unit）がコンピュータプログラムに従って機能することによって実現される機能ブロックである。
【００４０】
ＣＡ管理部１１６は、複数のUEの各々について設定された少なくとも１つの副セルを管理する。具体的には、ＣＡ管理部１１６は、マクロセルエリア１０ＣにあるいずれかのUEについて、副セルの追加、削除、起動、非起動のたびに、その変化を反映するように、メモリ１２４内の副セル管理テーブルを更新する。
【００４１】
図６は、ＣＡ管理部１１６によりメモリ１２４に記憶させられた副セル管理テーブルの一例を示す。ＣＡ管理部１１６は、各UEについて設定された少なくとも１つの副セル（すなわちスモールセル）のＩＤと、その副セルに対応するグループと、そのUEについて副セルが起動されたか否かを管理テーブルに記憶する。例えば、XXXX0のUE IDを有するUEには、４つの副セルが割り当てられ、しかもこれらの４つの副セルはこのUEについて起動されている。XXXX1のUE IDを有するUEには、１つの副セルが割り当てられ、その副セルはこのUEについて起動されていない。
【００４２】
副セルのグループの分類の例について説明する。複数の副セルが複数のグループのいずれかに分類されている。下りリンクチャネル状態の類似性が高い複数の副セルは同じグループに分類されている。図２〜図４に示す無線通信システムを例にとる。スモールセル２３，２４は同じ周波数帯Ｃに属する連続したスモールセル周波数帯＃３，＃４を使用する。しかも、スモールセル２３，２４はマクロセル１０の設備内の同じ位置にある。したがって、スモールセル２３からあるUEへの下りリンクチャネル状態は、スモールセル２４からそのUEへの下りリンクチャネル状態と類似すると考えられる。したがって、スモールセル２３，２４は同じグループに属する。図６の副セルID  AAACはスモールセル２３のIDであり、副セルID  AAADはスモールセル２４のIDであり、これらの副セルは同じグループ"３"に分類されている。
【００４３】
他方、スモールセル２１，２２は同じ周波数帯Ｂに属する連続したスモールセル周波数帯＃１，＃２を使用する。しかし、スモールセル２１，２２は互いに地理的に離間した位置にある。したがって、スモールセル２１からあるUEへの下りリンクチャネル状態は、スモールセル２２からそのUEへの下りリンクチャネル状態とあまり類似しないと考えられる。したがって、スモールセル２１，２２は異なるグループに属する。図６の副セルID  AAAAはスモールセル２１のIDであり、この副セルはグループ"１"に分類されている。副セルID  AAABはスモールセル２２のIDであり、この副セルはグループ"２"に分類されている。
【００４４】
ＣＳＩ報告処理部１１８は、無線受信部１１４で受信されたPUCCHの信号のうちCSIの報告を抽出する。したがって、無線受信部１１４およびＣＳＩ報告処理部１１８は、マクロセルエリア１０Ｃ内にある各UEから主セルおよび副セルについてのCSIの報告を繰り返し受信するチャネル状態情報受信部として機能する。
【００４５】
品質情報管理部１２０は、ＣＳＩ報告処理部１１８が１つのUEからある副セルについてのCSIの報告を受信すると、そのUEにとってのその副セルの品質をそのCSIに従ってメモリ１２４に記憶させる。また、品質情報管理部１２０は、ＣＳＩ報告処理部１１８が１つのUEからある副セルについてのCSIの報告を受信すると、その副セルと同じグループに属する他の副セルが起動されていれば、そのCSIを考慮して、他の副セルの品質を計算して、計算結果をメモリ１２４に記憶させる。
【００４６】
スケジューラ（下りリンク通信パラメータ制御部）１２２は、eNB１１自身およびスモールセル２１〜２４で下りリンクデータ信号を送信するためのスケジューリングを行う。具体的には、スケジューラ１２２は、品質情報管理部１２０によって更新された副セルの各々の品質およびCSIのRIおよびPMIに従って、副セルの各々についての下りリンク通信パラメータを制御する。例えば、スケジューラ１２２は、各セルでのUEへのリソースブロックの割り当てを実行する。また、スケジューラ１２２は、各セルでのUEへのMCSの割り当てを実行する。各セルの無線送信部１１５，２１５，２２５，２３５，２４５は、スケジューラ１２２が決定したリソースブロックおよびMCSに従って、下りリンクデータ信号を送信する。
【００４７】
上記の通り、CSIには、CQI、RI、PMIがあり、CQIは、UEでの下りリンクの受信品質に対応する。図７は、UEから報告されるCQIが示すインデックス(0〜15)と、そのインデックス（CQIインデックス）で指定される変調・符号化方式（Modulation and Coding Scheme、MCS）の例を示す表である。この表は、非特許文献３のTable 7.2.3-1である。
【００４８】
UEは下りリンクの受信品質に基づいて、CQIインデックスを選択し、選択されたCQIインデックスをCSIに含めて送信する。UEは下りリンクの受信品質が高いほど、大きいCQIインデックスを選択する。
【００４９】
UEからフィードバックされたCQIに基づいて、eNBはそのUEのための下りリンクのMCSを決定する。一般的には、eNBは、UEから受信されたCQIインデックスに対応するMCSを、そのUEのためにそのまま使用する。例えば、CQIインデックスが６を示す場合には、eNBはＱＰＳＫ（quadrature phase shift keying）、符号化率６０２×１０２４を使用する。図７に示すように、CQIインデックスが大きいほど、送信効率が高いMCSを使用することができるが、その場合には伝搬に伴う品質の劣化が起こりやすい。
【００５０】
図８および図９を参照しながら、この実施の形態での品質情報管理部１２０およびスケジューラ１２２の動作をより詳細に説明する。図８は、この実施の形態での１つのUEから送信されるCSIの報告と、それらに応じたeNBの動作を示すシーケンスダイアグラムである。図９は、この実施の形態でのeNBで実行される動作を示すフローチャートである。
【００５１】
UEからは各セルのためのCSIの報告が繰り返し送信される。eNBがCSIの報告を受信するたびに、eNBの品質情報管理部１２０は、CSIに含まれるCQIインデックスを、そのCSIの報告に対応するセルのそのUEにとっての品質としてメモリ１２４に記憶させる。すなわち、メモリ１２４内で、そのセルの品質（CQIインデックス）が更新される。図８には示さないが、メモリ１２４に記憶されているセルの品質（CQIインデックス）に従って、スケジューラ１２２は、各セルでの下りリンクデータ信号の送信のための下りリンク通信パラメータを決定する。
【００５２】
また、eNBの品質情報管理部１２０は、そのCSIの報告に対応するセルと同じグループに属する他の副セルが起動されていれば、そのCSIの報告に示されたCQIインデックスを考慮して、他の副セルの品質（CQIインデックス）を計算して、計算されたCQIインデックスを他のセルのそのUEにとっての品質としてメモリ１２４に記憶させる。すなわち、メモリ１２４内で、そのセルの品質（CQIインデックス）が更新される。
【００５３】
そのCSIの報告に対応するセルと同じグループに属するさらに他の副セルが起動されていれば、eNBの品質情報管理部１２０は、同様に、そのCSIの報告に示されたCQIインデックスを考慮して、他の副セルの品質（CQIインデックス）を計算して、計算されたCQIインデックスを他のセルのそのUEにとっての品質としてメモリ１２４に記憶させる。
【００５４】
上記の通り副セル２３，２４は同じグループに属するので、図８に示すように、eNBは副セル２３についてのCSIの報告を受信すると、副セル２３についての品質（CQIインデックス）を更新するだけでなく、他の副セル２４についての品質を計算して更新する。eNBは副セル２４についてのCSIの報告を受信すると、副セル２４についての品質を更新するだけでなく、他の副セル２３についての品質を計算して更新する。
【００５５】
他の副セルの品質（CQIインデックス）は、例えば下記の式（１）に従って計算される。
【数１】
2016158012.tif 000003
ここで、CQIy[i]は、現時点で計算される副セルのCQIインデックスである。CQIy[i-1]はその副セルについての直前に受信されたCSI報告に示されたCQIインデックスである。CQIx[i]は他の副セルについての現在受信されたCSI報告に示されたCQIインデックスである。ｗは重み付け係数である。
【００５６】
具体的には、eNBが副セル２３についてのCSIの報告を受信すると、品質情報管理部１２０は下記の式に従って副セル２４についての品質を計算する。
【数２】
2016158012.tif 000004
ここで、CQI24[i]は、現時点で計算される副セル２４のCQIインデックスである。CQIy[i-1]は副セル２４についての直前に受信されたCSI報告に示されたCQIインデックスである。CQI23[i]は副セル２３についての現在受信されたCSI報告に示されたCQIインデックスである。
【００５７】
重み付け係数ｗは0から1の間の値である。重み付け係数ｗが0.5未満であれば、計算されるCQIインデックスは、過去の同じ副セルのCQIインデックスを、他の副セルの現在のCQIインデックスよりも反映する。重み付け係数ｗが0.5より大きければ、計算されるCQIインデックスは、過去の同じ副セルのCQIインデックスよりも、他の副セルの現在のCQIインデックスを反映する。無線通信システムの運営事業者は、重み付け係数ｗを自由に決定することができる。例えば、CSIの報告の送信周期が長い場合には、重み付け係数ｗを大きく設定することが好ましい。
【００５８】
但し、上記の式は例示であり、他の式を利用してもよい。例えば床関数の代わりに天井関数を使用してもよい。
【００５９】
上記の通り、メモリ１２４に記憶されているセルの品質（CQIインデックス）に従って、スケジューラ１２２は、各セルでの下りリンクデータ信号の送信のための下りリンク通信パラメータを決定する。例えば、メモリ１２４に記憶されているCQIインデックスが５を示す場合には、eNBはＱＰＳＫ、符号化率４４９×１０２４を使用する。直前にメモリ１２４で更新されたCQIインデックスがCSIの報告に示されたCQIインデックスそのものであれば、スケジューラ１２２は、CSIの報告に示されたCQIインデックスに従って、下りリンク通信パラメータを決定する。直前にメモリ１２４で更新されたCQIインデックスが他のセルのCQIインデックスに基づいて計算されたCQIインデックスであれば、スケジューラ１２２は、他のセルのCQIインデックスに基づくCQIインデックスに従って、下りリンク通信パラメータを決定する。
【００６０】
図１０は、比較例の無線通信システムにおいて、１つのUEから送信されるCSIの報告と、それらに応じたeNBの動作を示すシーケンスダイアグラムである。この例では、eNBがCSIの報告を受信するたびに、eNBは、CSIに含まれるCQIインデックスを、そのCSIの報告に対応するセルのそのUEにとっての品質として記憶する。しかし、副セルのグルーピングまたは関連付けはされておらず、CSIに含まれるCQIインデックスは他の副セルの品質の計算に使用されない。したがって、各副セルについてのCSIの報告周期が長い場合には、各副セルについての下りリンク受信品質の変動に対して、迅速に下りリンク通信パラメータを追従することができない懸念がある。
【００６１】
しかし、この実施の形態においては、ＣＳＩ報告処理部１１８が１つのUEからある副セル（第１の副セル）についてのCSIの報告を受信すると、その副セルと同じグループに属する他の副セル（第２の副セル）が起動されていれば、品質情報管理部１２０は、第１の副セルについてのCSIを考慮して、そのUEにとっての第２の副セルの品質（CQIインデックス）を計算して更新する。このように、あるグループに属する副セルについてのチャネル状態情報を、同じグループに属する副セルの品質の計算に使用することによって、各副セルについてのCSIの報告周期が長くても、各副セルについての下りリンク受信品質の変動に対して、迅速に下りリンク通信パラメータを追従することができる。
【００６２】
この実施の形態においては、図６を参照して上記したように、複数の副セルが複数のグループのいずれかに分類されている。しかし、下りリンクチャネル状態の類似性が高い複数の副セルが互いに関連付けされていれば、グルーピングは必須ではない。ＣＳＩ報告処理部１１８が１つのUEからある副セル（第１の副セル）についてのCSIの報告を受信すると、その副セルと関連付けされた他の副セル（第２の副セル）が起動されていれば、品質情報管理部１２０は、第１の副セルについてのCSIを考慮して、そのUEにとっての第２の副セルの品質（CQIインデックス）を計算して更新するのでもよい。
【００６３】
図１１は、代替的な実施の形態に係る無線通信システムのセルエリアの例を示す概略図である。この例では、スモールセル２１はマクロセル１０から地理的に離間した位置に配置されているが、スモールセル２２〜２４はマクロセル１０に地理的に一致した位置に配置されている（スモールセル２２〜２４はマクロセル１０の設備内に設けられている）。各セルで使用される下りリンク周波数帯は図４を参照して上記したものと同じと想定する。
【００６４】
この代替的な実施の形態において、他の副セルについてのCQIインデックスに基づいて、品質（CQIインデックス）を計算するために使用される重み付け係数を、これらの副セルの下りリンクチャネル状態の類似性に応じて変えてもよい。スモールセル２３，２４は同じ周波数帯Ｃに属する連続したスモールセル周波数帯＃３，＃４を使用する。しかも、スモールセル２３，２４はマクロセル１０の設備内の同じ位置にある。したがって、スモールセル２３からあるUEへの下りリンクチャネル状態は、スモールセル２４からそのUEへの下りリンクチャネル状態とかなり類似すると考えられる。スモールセル２３，２４は互いに関連付けされる。
【００６５】
スモールセル２２は、別の周波数帯Ｂに属するスモールセル周波数帯＃１を使用する。しかし、スモールセル２２はスモールセル２３，２４と同じ位置にある。したがって、スモールセル２２からあるUEへの下りリンクチャネル状態は、スモールセル２３からそのUEへの下りリンクチャネル状態といくぶん類似し、スモールセル２４からそのUEへの下りリンクチャネル状態ともいくぶん類似すると考えられる。
【００６６】
したがって、副セル２２を副セル２３，２４に関連付けてよい。そして、図１２に示すように、副セル２３，２４の組については重み付け係数ｗを高く設定し、副セル２２，２３の組については重み付け係数ｗを低く設定し、副セル２２，２４の組については重み付け係数ｗを低く設定してもよい。
【００６７】
この場合、ＣＳＩ報告処理部１１８が１つのUEから副セル２２についてのCSIの報告を受信すると、品質情報管理部１２０は、副セル２２の品質（CQIインデックス）を更新し、副セル２３，２４が起動されていれば、副セル２３，２４の品質（CQIインデックス）を式（１）に従って計算して更新する。計算に使用される重み付け係数ｗは０．３である。
【００６８】
ＣＳＩ報告処理部１１８が１つのUEから副セル２３についてのCSIの報告を受信すると、品質情報管理部１２０は、副セル２３の品質（CQIインデックス）を更新し、副セル２２，２４が起動されていれば、副セル２２，２４の品質（CQIインデックス）を式（１）に従って計算して更新する。副セル２２のCQIインデックスの計算に使用される重み付け係数ｗは０．３である。副セル２４のCQIインデックスの計算に使用される重み付け係数ｗは０．８である。
【００６９】
ＣＳＩ報告処理部１１８が１つのUEから副セル２４についてのCSIの報告を受信すると、品質情報管理部１２０は、副セル２４の品質（CQIインデックス）を更新し、副セル２２，２３が起動されていれば、副セル２２，２３の品質（CQIインデックス）を式（１）に従って計算して更新する。副セル２２のCQIインデックスの計算に使用される重み付け係数ｗは０．３である。副セル２３のCQIインデックスの計算に使用される重み付け係数ｗは０．８である。
【００７０】
以上のように、CSIの報告に対応する副セル（第１の副セル）の下りリンクチャネル状態と、CQIインデックスが計算される副セル（第２の副セル）の下りリンクチャネル状態の類似性が高いほど、重み付け係数ｗが大きく設定されることにより、CSIの報告に基づいて計算される副セルの品質（CQIインデックス）の計算精度が高められる。
【００７１】
代替的な実施の形態において、副セル２１，２２を相互に関連付けてもよい。スモールセル２１，２２は地理的に離間した位置に配置されているが、同じ周波数帯Ｂに属する連続したスモールセル周波数帯＃１，＃２を使用する。したがって、スモールセル２１からあるUEへの下りリンクチャネル状態は、スモールセル２２からそのUEへの下りリンクチャネル状態と少しは類似すると考えられる。この場合、図１３に示すように、副セル２１，２２の組については、非常に低い重み付け係数ｗが設定される。ＣＳＩ報告処理部１１８が１つのUEから副セル２１についてのCSIの報告を受信すると、品質情報管理部１２０は、副セル２１の品質（CQIインデックス）を更新し、副セル２２が起動されていれば、副セル２２の品質（CQIインデックス）を式（１）に従って計算して更新する。副セル２２のCQIインデックスの計算に使用される重み付け係数ｗは０．１である。ＣＳＩ報告処理部１１８が１つのUEから副セル２２についてのCSIの報告を受信すると、品質情報管理部１２０は、副セル２２の品質（CQIインデックス）を更新し、副セル２１が起動されていれば、副セル２１の品質（CQIインデックス）を式（１）に従って計算して更新する。副セル２１のCQIインデックスの計算に使用される重み付け係数ｗは０．１である。
【００７２】
図１２および図１３に示された重み付け係数ｗの値は例示に過ぎない。無線通信システムの運営事業者は、重み付け係数ｗの値を自由に決定することができる。
【００７３】
上記の説明において、１つの主セルすなわちマクロセル１０に対応する（１つのUEにとっての）副セルの最大数は４である。しかし、副セルの最大数は４に限定されない。非特許文献４で検討されている通り、各UEで使用可能なコンポーネントキャリアの数は最大で３２であってよい。
【００７４】
上記の説明において、副セルの使用周波数帯および地理的位置が副セルの関連付けのキーである。しかし、他の指標、例えば、副セルの下りリンク送信電力、使用周波数帯の帯域幅を考慮して、副セルを関連付けするか否かを決定してもよい。
【００７５】
副セルについての品質を他の副セルについてのCQIインデックスに基づいて計算するので、計算の精度を高く維持することが好ましい。以下、そのための工夫を説明する。
【００７６】
一旦、あるUEについて副セルが起動された後、副セルに関する基地局内部の情報をリセットすることが想定される。副セルがリセットされる契機としては、例えば、ランダムアクセス手順や、ある副セルが一旦非起動にされる（deactivated）場合がある。
【００７７】
図１４は、ある副セルが非起動にされ、リセットされた場合のその副セルに関するUEとeNBの間の情報交換を示す。その副セルの起動のためには、図１４に示すように、eNBがUEに副セル起動コマンド（Scell Activation Command）を送信する。これを受信すると、UEは受領確認（Ack）をeNBに返送する。
【００７８】
副セル起動コマンドの受信後、UEが実際にそのコマンドに対応する副セルを起動するまでには時間がかかる。UEでの実際の副セルの起動までの期間であっても、UEはCSIの報告をeNBに繰り返し送信する。この場合のCSIの報告に含まれるCQIインデックスはゼロである。図７において、CQIインデックスがゼロの場合、"out of range"が示されている。これは、CQIインデックスが送信元のUEでの下りリンクの受信品質に基づいて計算されたのではないことを示す。図１４に示すように、UEが副セルを起動した後は、UEはゼロではないCQIインデックス（すなわち有効なCQI）を含むCSIの報告（すなわち有効なCSIの報告）をeNBに送信することができる。
【００７９】
UEでの下りリンクの受信品質を反映しないCQIインデックス（ゼロ）に基づいて、他の副セルについての品質（CQIインデックス）を計算しても、計算されたCQIインデックスは、実際の受信品質とは大幅に異なると考えられる。例えば、副セル２３がリセットされ、副セル２３についてのゼロを示すCQIインデックスをeNBがUEから受信した場合、そのCQIインデックスに基づいて、副セル２４についてのCQIインデックスを計算しても、計算結果は実際の副セル２４についての受信品質とは大幅に異なるであろう。この計算結果を副セル２４についての下りリンク通信パラメータの決定に使用するのは妥当ではない。
【００８０】
また、ゼロを示すCQIインデックスは、そのCQIインデックスに対応する副セルについての受信品質を反映しないので、これをその副セルについての下りリンク通信パラメータの決定に使用するのも妥当ではない。例えば、副セル２３についてのゼロを示すCQIインデックスは、副セル２３についての受信品質を反映しないので、これを副セル２３についての下りリンク通信パラメータの決定に使用するのは妥当ではない。
【００８１】
そこで、UEでの下りリンクの受信品質を反映しないCQIインデックス（ゼロ）をeNBが無視または廃棄するのが好ましい。したがって、ある副セル（第１の副セル）がリセットされた場合には、ＣＳＩ報告処理部１１８が第１の副セルについての有効なCSIの報告を初めて受信するまでは、ＣＳＩ報告処理部１１８が第１の副セルについてのCSIの報告（CQIインデックスがゼロを示す）を受信したとしても、品質情報管理部１２０は、第１の副セルについてのCQIインデックスを考慮して、他の副セル（第２の副セル）の品質（CQIインデックス）を計算しない。ＣＳＩ報告処理部１１８が第１の副セルについての有効なCSIの報告を初めて受信した後に、品質情報管理部１２０は、第１の副セルの品質を第１の副セルについてのCSIの報告に従って更新するとともに、第１の副セルについての有効なCQIインデックスを考慮して、そのUEの第２の副セルの品質（CQIインデックス）を計算して更新する。
【００８２】
このようにして、副セルについてのUEでの受信品質を反映しないCQIインデックスを他の副セルの品質の計算に使用することを排除し、計算精度が低下するのを防止することができる。
【００８３】
代替的な実施の形態において、ある副セル（第１の副セル）がリセットされた場合には、第１の副セルの起動に関する一処理段階から所定時間が経過するまでは、ＣＳＩ報告処理部１１８が第１の副セルについてのCSIの報告（CQIインデックスがゼロを示す）を受信したとしても、品質情報管理部１２０は、第１の副セルについてのCQIインデックスを考慮して、他の副セル（第２の副セル）の品質（CQIインデックス）を計算しないようにしてもよい。所定時間が経過した後に、品質情報管理部１２０は、第１の副セルの品質を第１の副セルについてのCSIの報告に従って更新するとともに、第１の副セルについての有効なCQIインデックスを考慮して、そのUEの第２の副セルの品質（CQIインデックス）を計算して更新してもよい。
【００８４】
第１の副セルの起動に関する一処理段階とは、例えば図１４に示す副セル起動コマンド（Scell Activation Command）の送信でよく、eNBはこの送信から所定時間Ｔ１の経過後に、第１の副セルについての有効なCQIインデックスを使用してよい。第１の副セルの起動に関する一処理段階とは、例えば図１４に示す副セル起動コマンドへの受領確認（Ack）の受信でもよく、eNBはこの受信から所定時間Ｔ２の経過後に、第１の副セルについての有効なCQIインデックスを使用してよい。
【００８５】
また、ある副セル（第１の副セル）についてのCSIの報告のCQIインデックスを考慮して計算された他の副セル（第２の副セル）の品質（CQIインデックス）が、直前に更新された第２の副セルの品質（CQIインデックス）から第１の閾値より離れている場合には、品質情報管理部１２０は、第２の副セルの品質を更新しないことが好ましい。例えば、副セル２３についてのCSIの報告のCQIインデックスを考慮して計算された副セル２４のCQIインデックスが、直前に更新された副セル２４のCQIインデックスから第１の閾値（例えば３）より離れている場合には、品質情報管理部１２０は、計算された副セル２４のCQIインデックスをメモリ１２４に記録しないことが好ましい。直前のCQIインデックスに比べて大きく異なる計算されたCQIインデックスは、信頼度が低いため、これに基づいて下りリンク通信パラメータの決定に使用するのは妥当ではないからである。換言すれば、信頼度が低い計算結果を排除することにより、適切な下りリンク通信パラメータを決定することができる。
【００８６】
また、UEから送信されたCSIの報告に示されたCQIインデックスに従って直前に更新されたあるセル（第２の副セル）の品質が第２の閾値より低い場合には、品質情報管理部１２０は、他のセル（第１の副セル）についてのCSIの報告に示されたCQIインデックスを考慮して、第２の副セルの品質（CQIインデックス）を計算しないことが好ましい。つまり、直前にUEから送信されたあるセル（第２の副セル）についてのCSIの報告に示されたCQIインデックスが第２の閾値より低い場合には、品質情報管理部１２０は、他のセル（第１の副セル）についてのCSIの報告に示されたCQIインデックスを考慮して、第２の副セルの品質を計算しないことが好ましい。例えば、副セル２４についてのCSIの報告に示されたCQIインデックスが第２の閾値（例えば２）より低い場合には、品質情報管理部１２０は、副セル２３についてのCSIの報告に示されたCQIインデックスを考慮して、副セル２４のCQIインデックスを計算しないことが好ましい。
【００８７】
直前にUEから送信されたCQIインデックスが非常に低い（例えば１である）場合には、そのCQIインデックスに対応する副セルからUEへの下りリンクチャネル状態は非常に悪いはずである。この状態で、他の副セルについてのCQIインデックスを考慮して、当該副セルについてのCQIインデックスを計算すると、例えば計算されたCQIインデックスが"４"のような中程度の下りリンク受信品質を示すことがありうる。実際の下りリンクチャネル状態が非常に悪い時に、CQIインデックス"４"に対応するMCSが下りリンクのデータ送信に使用されたのでは、UEは下りリンクデータをうまく復号することができない。そこで、直前にUEから送信されたCQIインデックスが第２の閾値（例えば２）より低い場合には、他のセルについてのCQIインデックスに基づいて、CQIインデックスを計算するのは避けるべきである。
【００８８】
上記の実施の形態において、eNBのプロセッサが実行する各機能は、プロセッサの代わりに、ハードウェアで実行してもよいし、例えばFPGA（Field Programmable Gate Array），DSP（Digital Signal Processor）等のプログラマブルロジックデバイスで実行してもよい。
【符号の説明】
【００８９】
１ UE（ユーザ装置）
１０  マクロセル（マクロセル基地局）
１０Ｃ  マクロセルエリア
１１  eNB
１１４  無線受信部（チャネル状態情報受信部）
１１６  ＣＡ（キャリアアグリゲーション）管理部
１１８  ＣＳＩ（チャネル状態情報）報告処理部（チャネル状態情報受信部）
１２０  品質情報管理部
１２２  スケジューラ（下りリンク通信パラメータ制御部）
１２４  メモリ
２１，２２，２３，２４  スモールセル（スモールセル基地局）
２１Ｃ，２２Ｃ，２３Ｃ，２４Ｃ  スモールセルエリア
２１４，２２４，２３４，２４４  無線受信部
２１５，２２５，２３５，２４５  無線送信部
【図１】
2016158012.tif 000005
【図２】
2016158012.tif 000006
【図３】
2016158012.tif 000007
【図４】
2016158012.tif 000008
【図５】
2016158012.tif 000009
【図６】
2016158012.tif 000010
【図７】
2016158012.tif 000011
【図８】
2016158012.tif 000012
【図９】
2016158012.tif 000013
【図１０】
2016158012.tif 000014
【図１１】
2016158012.tif 000015
【図１２】
2016158012.tif 000016
【図１３】
2016158012.tif 000017
【図１４】
2016158012.tif 000018